(57)【要約】【課題】  施工性の向上が可能な配線装置を提供する。【解決手段】  ボディ２の前面には、レセプタクル５においてプラグＬＰが挿入されるプラグ挿入口を下側の開口に臨ませる位置でレセプタクルを着脱自在に保持する第１の保持片２１と、レセプタクル５とレセプタクル５に挿入接続されたプラグＬＰとがハウジング内に収納されるような位置においてレセプタクル５を着脱自在に保持する第２の保持片２２とがそれぞれ設けられている。レセプタクル５を第２の保持片２２に保持させることで、レセプタクル５に接続されたプラグＬＰを配置可能な空間をハウジングの下方に確保する必要がなくなり、ハウジングの配置の自由度を高めることができ、施工性が向上する。【選択図】図１
2010169763.tif 000002
【特許請求の範囲】
【請求項１】
屋外から引き込まれた第１の光ファイバケーブルが接続されるレセプタクルであって、屋内に配置された光回線終端装置に一端が接続された第２の光ファイバケーブルの他端が接続されたプラグが挿入接続されることで第１の光ファイバケーブルと第２の光ファイバケーブルとを光学的に接続するレセプタクルを、収納及び保持する配線装置であって、
第１の光ファイバケーブルが挿通される第１のケーブル挿通穴が貫設されるとともに後面を取付面に向けて取付面に対して固定されるボディと、少なくともレセプタクルが収納される空間をボディとの間に形成する形でボディの前側に着脱自在に取り付けられるカバーとからなるハウジングを備え、
ハウジングの側面には、第２の光ファイバケーブル又はプラグが挿通される光通信用挿通穴が設けられていて、
ボディの前面には、レセプタクルにおいてプラグが挿入されるプラグ挿入口を光通信用挿通穴に臨ませる位置でレセプタクルを着脱自在に保持する第１の保持部と、レセプタクルとレセプタクルに挿入接続されたプラグとがハウジング内に収納されるような位置においてレセプタクルを着脱自在に保持する第２の保持部とがそれぞれ設けられていることを特徴とする配線装置。
【請求項２】
第１の保持部は、それぞれ、第１の光ファイバケーブルを挿通可能な隙間をボディの前面とレセプタクルとの間に形成する形でレセプタクルを保持することを特徴とする請求項１記載の配線装置。
【請求項３】
ボディに対して固定されるとともに複数本の電話ケーブルがそれぞれ接続される電話接続器と、ボディに対して固定されるとともに複数本のＬＡＮケーブルがそれぞれ接続されるＬＡＮ接続器とを備え、
ボディには、第１の光ファイバケーブル並びに電話接続器に接続される各電話ケーブルがそれぞれ挿通される第１のケーブル挿通穴と、ＬＡＮ接続器に接続される各ＬＡＮケーブルがそれぞれ挿通される第２のケーブル挿通穴とがそれぞれ前後に貫設されていて、
電話接続器は、ボディにおいて第１のケーブル挿通穴と第２のケーブル挿通穴とを仕切る部位に固定されていることを特徴とする請求項１又は請求項２記載の配線装置。
【発明の詳細な説明】
【技術分野】
【０００１】
本発明は、光ファイバケーブル同士を接続するレセプタクルを保持する配線装置に関するものである。
【背景技術】
【０００２】
従来から、光通信網に接続されるとともに屋外から引き込まれた第１の光ファイバケーブルと、屋内に配置された光回線終端装置（ＯＮＵ）に接続された第２の光ファイバケーブルとを、互いに光学的に接続するためのレセプタクルを保持した配線装置が提供されている（例えば、特許文献１参照）。つまり、上記の配線装置は、後面を壁面等の取付面に向けて固定されるとともにレセプタクルを保持するハウジングを備える。
【０００３】
また、上記のレセプタクルにはプラグ挿入口が設けられており、このプラグ挿入口に挿入接続されるプラグとともに用いられるものである。すなわち、レセプタクルには第１の光ファイバケーブルを接続するとともに、プラグには第２の光ファイバケーブルを接続した上で、プラグをレセプタクルのプラグ挿入口に挿入接続すれば、第１の光ファイバケーブルと第２の光ファイバケーブルとの光学的な接続が達成され、つまり光回線終端装置が光通信網に接続される。
【０００４】
さらに、ハウジングには、第１の光ファイバケーブルが挿通される第１のケーブル挿通穴と、プラグが挿通される光通信用挿通穴とが設けられていた。
【先行技術文献】
【特許文献】
【０００５】
【特許文献１】特開２００８−８３０８７号公報
【発明の概要】
【発明が解決しようとする課題】
【０００６】
上記従来の配線装置では、光通信用挿通穴にプラグを挿入することでプラグをレセプタクルに接続することができるように、レセプタクルはハウジング内においてプラグ挿入口を光通信用挿通穴に臨ませる形で保持されていた。
【０００７】
しかしながら、レセプタクルが上記のように保持されていると、レセプタクルに挿入接続されたプラグはハウジング外に突出することになる。つまり、光通信用挿通穴が向けられた方向に、プラグを配置可能な空間を確保する必要があり、配置の自由度が低く、従って施工性が低かった。
【０００８】
本発明は、上記事由に鑑みて為されたものであり、その目的は、施工性の向上が可能な配線装置を提供することにある。
【課題を解決するための手段】
【０００９】
請求項１の発明によれば、屋外から引き込まれた第１の光ファイバケーブルが接続されるレセプタクルであって、屋内に配置された光回線終端装置に一端が接続された第２の光ファイバケーブルの他端が接続されたプラグが挿入接続されることで第１の光ファイバケーブルと第２の光ファイバケーブルとを光学的に接続するレセプタクルを、収納及び保持する配線装置であって、第１の光ファイバケーブルが挿通される第１のケーブル挿通穴が貫設されるとともに後面を取付面に向けて取付面に対して固定されるボディと、少なくともレセプタクルが収納される空間をボディとの間に形成する形でボディの前側に着脱自在に取り付けられるカバーとからなるハウジングを備え、ハウジングの側面には、第２の光ファイバケーブル又はプラグが挿通される光通信用挿通穴が設けられていて、ボディの前面には、レセプタクルにおいてプラグが挿入されるプラグ挿入口を光通信用挿通穴に臨ませる位置でレセプタクルを着脱自在に保持する第１の保持部と、レセプタクルとレセプタクルに挿入接続されたプラグとがハウジング内に収納されるような位置においてレセプタクルを着脱自在に保持する第２の保持部とがそれぞれ設けられていることを特徴とする。
【００１０】
この発明によれば、光通信用挿通穴が向けられた方向にプラグを配置可能な空間が存在する場合には、第１の保持部にレセプタクルを保持させることでカバーを取り外さずにレセプタクルへのプラグの挿抜を可能とすることができ、光通信用挿通穴が向けられた方向にプラグを配置可能な空間が存在しない場合には、第２の保持部にレセプタクルを保持させることでレセプタクルだけでなくプラグまでをハウジング内に収納することができる。すなわち、第２の保持部にレセプタクルを保持させることで、プラグを配置可能な空間をハウジング外に確保する必要がなくなることにより、ハウジングの配置の自由度を高めることができるから、施工性が向上する。
【００１１】
請求項２の発明は、請求項１の発明において、第１の保持部は、それぞれ、第１の光ファイバケーブルを挿通可能な隙間をボディの前面とレセプタクルとの間に形成する形でレセプタクルを保持することを特徴とする。
【００１２】
この発明によれば、レセプタクルが保持される位置の後側に第１の光ファイバケーブルが位置している場合にもレセプタクルを取り付けることができるから、ボディの前面とレセプタクルとの間すなわちレセプタクルの後側に第１の光ファイバケーブルを通すことができない場合に比べ、ハウジング内での光ファイバケーブルの配置の自由度が向上する。
【００１３】
請求項３の発明は、請求項１又は請求項２の発明において、ボディに対して固定されるとともに複数本の電話ケーブルがそれぞれ接続される電話接続器と、ボディに対して固定されるとともに複数本のＬＡＮケーブルがそれぞれ接続されるＬＡＮ接続器とを備え、ボディには、第１の光ファイバケーブル並びに電話接続器に接続される各電話ケーブルがそれぞれ挿通される第１のケーブル挿通穴と、ＬＡＮ接続器に接続される各ＬＡＮケーブルがそれぞれ挿通される第２のケーブル挿通穴とがそれぞれ前後に貫設されていて、電話接続器は、ボディにおいて第１のケーブル挿通穴と第２のケーブル挿通穴とを仕切る部位に固定されていることを特徴とする。
【００１４】
この発明によれば、第１の光ファイバケーブル及び各電話ケーブルがそれぞれ挿通される第１のケーブル挿通穴と、各ＬＡＮケーブルがそれぞれ挿通される第２のケーブル挿通穴とが分けられていることで、１個のケーブル挿通穴に第１の光ファイバケーブルと各電話ケーブルと各ＬＡＮケーブルとがそれぞれ挿通される場合に比べ、配線が整理されることにより配線作業がより容易となる。
【発明の効果】
【００１５】
請求項１の発明によれば、光通信用挿通穴が向けられた方向にプラグを配置可能な空間が存在する場合には、第１の保持部にレセプタクルを保持させることでカバーを取り外さずにレセプタクルへのプラグの挿抜を可能とすることができ、光通信用挿通穴が向けられた方向にプラグを配置可能な空間が存在しない場合には、第２の保持部にレセプタクルを保持させることでレセプタクルだけでなくプラグまでをハウジング内に収納することができる。すなわち、第２の保持部にレセプタクルを保持させることで、プラグを配置可能な空間をハウジング外に確保する必要がなくなることにより、ハウジングの配置の自由度を高めることができるから、施工性が向上する。
【００１６】
請求項２の発明によれば、第１の保持部は、それぞれ、第１の光ファイバケーブルを挿通可能な隙間をボディの前面とレセプタクルとの間に形成する形でレセプタクルを保持するので、レセプタクルが保持される位置の後側に第１の光ファイバケーブルが位置している場合にもレセプタクルを取り付けることができるから、ボディの前面とレセプタクルとの間すなわちレセプタクルの後側に第１の光ファイバケーブルを通すことができない場合に比べ、ハウジング内での光ファイバケーブルの配置の自由度が向上する。
【００１７】
請求項３の発明によれば、ボディに対して固定されるとともに複数本の電話ケーブルがそれぞれ接続される電話接続器と、ボディに対して固定されるとともに複数本のＬＡＮケーブルがそれぞれ接続されるＬＡＮ接続器とを備え、ボディには、第１の光ファイバケーブル並びに電話接続器に接続される各電話ケーブルがそれぞれ挿通される第１のケーブル挿通穴と、ＬＡＮ接続器に接続される各ＬＡＮケーブルがそれぞれ挿通される第２のケーブル挿通穴とがそれぞれ前後に貫設されていて、電話接続器は、ボディにおいて第１のケーブル挿通穴と第２のケーブル挿通穴とを仕切る部位に固定されているので、第１の光ファイバケーブル及び各電話ケーブルがそれぞれ挿通される第１のケーブル挿通穴と、各ＬＡＮケーブルがそれぞれ挿通される第２のケーブル挿通穴とが分けられていることで、１個のケーブル挿通穴に第１の光ファイバケーブルと各電話ケーブルと各ＬＡＮケーブルとがそれぞれ挿通される場合に比べ、配線が整理されることにより配線作業がより容易となる。
【図面の簡単な説明】
【００１８】
【図１】（ａ）（ｂ）はそれぞれ本発明の実施形態においてカバーを取り外した状態を示す正面図であり、（ａ）はレセプタクルを第１の保持部に保持させた状態を示し、（ｂ）はレセプタクルを第２の保持部に保持させてプラグを接続した状態を示す。
【図２】（ａ）〜（ｄ）はそれぞれ同上を示す図であり、（ａ）は正面図、（ｂ）は下面図、（ｃ）は右側面図、（ｄ）は背面図である。
【図３】（ａ）（ｂ）はそれぞれ同上を示す斜視図であり、（ａ）は前側から見た斜視図、（ｂ）は後側から見た斜視図である。
【図４】同上においてカバーを取り外した状態を示す斜視図である。
【図５】（ａ）（ｂ）はそれぞれ同上が備えるコンセントを示す斜視図であり、（ａ）は前側から見た斜視図、（ｂ）は後側から見た斜視図である。
【図６】（ａ）（ｂ）はそれぞれ同上に構成された電話接続システムの使用形態であって互いに異なる使用形態の例を示す説明図である。
【図７】同上においてカバーを取り外した状態の要部を示す断面図である。
【図８】同上の変更例においてカバーを取り外した状態を示す正面図である。
【図９】図８の変更例においてカバーを取り外した状態を示す斜視図である。
【発明を実施するための形態】
【００１９】
以下、本発明を実施するための最良の形態について、図面を参照しながら説明する。
【００２０】
本実施形態は、図２及び図３に示すように、全体として直方体形状のハウジング１を備える。以下、上下左右は図２（ａ）を基準とし、図２（ｃ）の左右方向を前後方向と呼ぶ。
【００２１】
ハウジング１は、後面を壁面等の取付面（図示せず）に向けて取付面に対して固定されるボディ２と、ボディ２の前側に着脱自在に取り付けられるカバー３とを備える。ボディ２とカバー３とはそれぞれ例えば合成樹脂からなる。
【００２２】
本実施形態は光ファイバケーブルＦＣ１，ＦＣ２（図１参照）やＬＡＮケーブル（図示せず）や電話ケーブル（図示せず）の配線の集約に用いられるものであって、図１及び図４に示すように、ボディ２の前側には、複数本のＬＡＮケーブルと複数本の電話ケーブルとをそれぞれ接続可能な接続ユニット４が固定されている。
【００２３】
接続ユニット４には、図５に示すようにそれぞれ電源プラグの栓刃（図示せず）が挿入される２組６個の栓刃挿入口６１ａ〜６１ｃを有する電源用のコンセント６が、各栓刃挿入口６１ａ〜６１ｃをそれぞれ前方に露出させる形で保持されている。コンセント６は、前面に２組の栓刃挿入口６１ａ〜６１ｃが上下に並べて設けられるとともに、後面にはそれぞれ電線Ｃが挿入される電線挿入口６２が、左右に２列、上下に３列の計６個設けられた器体６０を備える。器体６０は、合成樹脂からなり器体６０の後面を構成するベース６０ａと、合成樹脂からなりベース６０ａの前側に結合して器体６０の前面を構成するカバー６０ｂと、金属からなりベース６０ａとカバー６０ｂとを互いに結合させる組立枠６０ｃとからなる。器体６０は全体としてＪＩＳ  Ｃ  ８３７５に規定された大角形連用配線装置の取付枠（図示せず）に取付可能な寸法形状とされるとともに、組立枠６０ｃの左右の端面は上記の取付枠に対して凹凸係合させることができるような形状となっている。
【００２４】
また、栓刃挿入口６１ａ〜６１ｃの各組は、それぞれ、電圧側極の栓刃が挿入される電圧側栓刃挿入口６１ａと、電圧側栓刃挿入口６１ａの左側に設けられて接地側極の栓刃が挿入される接地側栓刃挿入口６１ｂと、電圧側栓刃挿入口６１ａと接地側栓刃挿入口６１ｂとに挟まれる位置の下側に設けられて接地極の栓刃が挿入される接地栓刃挿入口６１ｃとからなる。さらに、電線挿入口６２も極性毎に２個ずつ設けられており、右上（図５（ｂ）での左上）において上下に並ぶ２個の電線挿入口６２にはそれぞれ電圧側極の電線Ｃが挿入され、左上（図５（ｂ）での右上）において上下に並ぶ２個の電線挿入口６２にはそれぞれ接地側極の電線Ｃが挿入され、下端において左右に並ぶ２個の電線挿入口６２にはそれぞれ接地用の電線Ｃが挿入される。各極性についてそれぞれ、２個ずつ設けられた電線挿入口６２のうち一方は送り配線に用いられる。
【００２５】
さらに、器体６０内には、導電材料からなり各栓刃挿入口６１ａ〜６１ｃに一対一に対応してそれぞれ対応する栓刃挿入口６１ａ〜６１ｃに挿入された栓刃に接触導通する６個の刃受け（図示せず）と、電線挿入口６２に一対一に対応してそれぞれ対応する電線挿入口６２に挿入された電線に対して周知の速結端子構造により電気的に接続される６個の端子板（図示せず）とが収納されている。例えば電圧側極同士といったように互いに極性が共通する各刃受けと各端子板とは、例えば互いに連結して形成されることにより互いに電気的に接続されている。さらに、コンセント６の前面の下端部には、接地極の各刃受け及び接地極の各端子板に電気的に接続されたねじ端子からなり接地線が接続される接地線接続端子（図示せず）が保持されており、器体６０の下端部には前方から見て上記の接地線接続端子を開閉自在に覆う端子扉６６が取り付けられている。
【００２６】
ボディ２には、コンセント６の後面を露出させる露出穴２７が前後に貫設されており、商用電源等の外部の交流電源（図示せず）に対してコンセント６を接続するための電源ケーブル（図示せず）が有する一組の電線Ｃは、ボディ２の後方から露出穴２７を通じて電線挿入穴６２に挿入接続される。
【００２７】
次に、接続ユニット４について説明する。接続ユニット４は、８極８芯のモジュラジャック４１を複数個備えており、ＬＡＮケーブルの一端に設けられたモジュラプラグ（図示せず）が上記のモジュラジャック４１のいずれかに挿入接続されることによってＬＡＮケーブルが接続ユニット４に接続される。
【００２８】
また、接続ユニット４は、全体として直方体形状であって各モジュラジャック４１をそれぞれ保持した本体部４０ａと、本体部４０ａの左面に突設されてコンセント６を保持するコンセント保持部４０ｂと、本体部４０ａの上面に突設された電源部４０ｃと、本体部４０ａの下面に突設され複数組の電話線がそれぞれ挿入される電話線用端子台４０ｄとを有してボディ２に対してねじ止め固定されたケース４０を備える。ケース４０は例えば合成樹脂からなる。コンセント６は、ケース４０のコンセント保持部４０ｂに対して例えば嵌合によって保持されている。
【００２９】
さらに、ケース４０の本体部４０ａには、モジュラジャック４１に接続されるモジュラプラグを挿通するためのＬＡＮプラグ挿入穴４２ａ，４２ｂが、前面の右端部と下面とに１個ずつ設けられており、本体部４０ａの下面に設けられた１個のＬＡＮプラグ挿入穴４２ｂ内には７個のモジュラジャック４１が左右に並んで露出している。また、本体部４０ａには、ケース４０に対して上下にスライドして本体部４０ａの前面のＬＡＮプラグ挿入穴４２ａを開閉するスライド扉４３が取り付けられている。接続ユニット４のケース４０内には、上記のモジュラジャック４１の他、各モジュラジャック４１を通じて外部のパーソナルコンピュータ等の機器から入力される電気信号に応じてモジュラジャック４１間での信号の送受信を制御するスイッチングハブ回路（図示せず）が収納されている。すなわち、各モジュラジャックとスイッチングハブ回路とで、請求項におけるＬＡＮ接続器が構成されている。例えば、本体部４０ａの前面に設けられたＬＡＮプラグ挿入穴４２ａ内の１個のモジュラジャック４１は、インターネット接続用のモデムやルータ（図示せず）に一端が接続されたＬＡＮケーブルの他端に設けられたモジュラプラグが挿入接続されることで、上記のモデムやルータに接続され、また、本体部４０ａの下面に設けられたＬＡＮプラグ挿入穴４２ｂ内に露出する各モジュラジャック４１は、それぞれ、各部屋に設けられたＬＡＮコンセント（図示せず）に一端が接続されたＬＡＮケーブルの他端に設けられたモジュラプラグが挿入接続されることで、上記ＬＡＮコンセントや、上記ＬＡＮコンセントに接続された機器に接続される。つまり、上記のような接続により、モデムやルータと各部屋の機器との接続が達成される。スイッチングハブ回路の電源は、コンセント６に接続された交流電源（図示せず）から、一端がコンセント６の接地側極と電圧側極との一方ずつの電線挿入口６２に挿入接続され他端がそれぞれ電源部４０ｃに導入された一対の電線Ｃを介して供給される。また、接続ユニット４は、操作力を受けてスイッチングハブ回路の電源をオンオフする電源スイッチ４４を有し、この電源スイッチ４４は電源部４０ｃの右側に露出する形で保持されている。
【００３０】
また、ケース４０の本体部４０ａの前面の左端部には、それぞれ電話用の６極２芯のモジュラプラグ（図示せず）が挿入される２個の電話プラグ挿入穴４５ａ，４５ｂが設けられている。各電話プラグ挿入穴４５ａ，４５ｂ内にはそれぞれ電話用モジュラジャック（図示せず）が保持されており、いずれかの電話プラグ挿入穴４５ａ，４５ｂに挿入されたモジュラプラグは該電話プラグ挿入穴４５ａ，４５ｂ内の電話用モジュラジャックに挿入接続される。さらに、各電話プラグ挿入穴４５ａ，４５ｂについて、それぞれ、本体部４０ａの前面のＬＡＮプラグ挿入穴４２ａと同様に、ケース４０に対して上下にスライドして電話プラグ挿入穴４５ａ，４５ｂを開閉するスライド扉４３が設けられている。
【００３１】
ケース４０の電話線用端子台４０ｄの後面には、それぞれ電話ケーブルを構成する電話線が挿入される１０組２０個の電話線挿入口４６が設けられている。電話線用端子台４０ｄ内には、電話線挿入口４６に一対一に対応しそれぞれ対応する電話線挿入口４６から挿入された電話線に電気的に接続される１０組２０個の電話線接続端子（図示せず）が収納及び保持されている。電話線接続端子としては例えば速結端子のような周知の端子を用いることができる。上記の電話線接続端子と電話用モジュラジャックとは請求項における電話接続器を構成する。
【００３２】
上記６組の電話線接続端子のうちの１組は一端が保安器に接続された電話線（以下、「加入者線」と呼ぶ。）の他端が挿入される加入者線接続端子ＣＴ（図６参照）である。また、電話線接続端子のうち他の１組はＬＩＮＥ接続端子であって、上側の電話プラグ挿入穴４５ａ内の電話用モジュラジャック（以下、「ＬＩＮＥモジュラジャック」と呼ぶ。）に対して対応する導電部同士を互いに電気的に接続されてＬＩＮＥ系統ＬＬ（図６参照）を構成している。さらに、電話線接続端子のうち残りの８組はそれぞれ各部屋の電話用コンセント（図示せず）や電話機（図示せず）に対し電話線を介して接続されるＴＥＬ接続端子であって、これらＴＥＬ接続端子と下側の電話プラグ挿入穴４５ｂ内の電話用モジュラジャック（以下、「ＴＥＬモジュラジャック」と呼ぶ。）とは対応する導電部同士を互いに電気的に接続されてＴＥＬ系統（図６参照）を構成している。さらに、接続ユニット４は、図６に示すように、ＬＩＮＥ系統ＬＬとＴＥＬ系統ＴＬとの一方を択一的に加入者線接続端子ＣＴに接続する切替スイッチ４７を備える。切換スイッチ４７は操作入力を受けて接続を切り替えるものであって、前方からの操作が可能となるような形でケース４０において電話プラグ挿入穴４５ａの上側に保持されている。
【００３３】
上記の各電話用モジュラジャックと各電話線接続端子と切替スイッチ４７とは、図６に示すような電話接続システムＴＳを構成している。ＡＤＳＬ等を特に使用しない場合には、図６（ａ）に示すように加入者線接続端子ＣＴをＴＥＬ系統ＴＬに接続するように切換スイッチ４７を切り替えれば、ＴＥＬ系統ＴＬに接続された各部屋の電話線や電話用コンセント等を加入者線に接続することができる。この場合、加入者線接続端子ＣＴから切り離されたＬＩＮＥ系統ＬＬは、ＬＩＮＥ接続端子に接続された機器とＬＩＮＥモジュラジャックに接続された機器とを互いに接続するといったような別途の接続に用いることができる。
【００３４】
また、ＡＤＳＬを使用する場合には、図６（ｂ）に示すように加入者線接続端子ＣＴをＬＩＮＥ系統ＬＬに接続するように切換スイッチ４７を切り替えるとともに、ＬＩＮＥ系統の例えばＬＩＮＥモジュラジャックに、スプリッタＳＰの入力端子に接続する。さらに、スプリッタＳＰのＡＤＳＬ出力端子をモデムに接続する一方で、スプリッタＳＰのＴＥＬ出力端子をＴＥＬ系統ＴＬの例えばＴＥＬモジュラジャックに接続する。
【００３５】
また、ＩＰ電話を使用する場合にも、図６（ｂ）の例と同様に加入者線接続端子ＣＴをＬＩＮＥ系統ＬＬに接続するように切換スイッチ４７を切り替えてＴＥＬ系統ＴＬを加入者線接続端子ＣＴから切り離した上で、ＴＥＬ系統ＴＬの例えばＴＥＬモジュラジャックにＩＰ電話アダプタ（図示せず）を接続すれば、ＴＥＬ系統ＴＬに接続された各部屋の電話機やコンセント等をそれぞれＩＰ電話アダプタに接続することができる。
【００３６】
次に、ボディ２について説明する。
【００３７】
ボディ２は、前方から見て長手方向を左右方向とする長方形状の輪郭を有し、４隅にはそれぞれ取付面に直接ねじ止めされる際にねじ止め用のねじ（図示せず）が挿通される円形状の第１ねじ挿通穴２０ａが前後に貫設されている。また、第１ねじ挿通穴２０ａよりも左右方向の内側となる４箇所には、それぞれ、短手方向の一方側をボディ２の中央へ向けた長円形状であって専用の取付台（図示せず）に対してねじ止めする際にねじ止め用のねじ（図示せず）が挿通される第２ねじ挿通穴２０ｂが前後に貫設されている。
【００３８】
さらに、ボディ２には、光通信用のプラグＬＰが挿入接続される光通信用のレセプタクル５が着脱自在に保持可能となっている。レセプタクル５は屋外から引き込まれた第１の光ファイバケーブルＦＣ１の一端が接続されるものであり、プラグＬＰは一端が光回線終端装置（ＯＮＵ）（図示せず）に接続された第２の光ファイバケーブルＦＣ２の他端が接続されるものである。そして、レセプタクルに対して第１の光ファイバケーブルＦＣ１が接続されるとともにプラグＬＰに対して第２の光ファイバケーブルＦＣ２が接続された状態で、レセプタクル５に設けられたプラグ挿入口５０（図７参照）に対してプラグＬＰが挿入されることで、第１の光ファイバケーブルＦＣ１と第２の光ファイバケーブルＦＣ２とが互いに光学的に接続される。また、レセプタクル５には、プラグ挿入口５０を開閉するシャッター５０ａが設けられている。さらに、ボディ２の左下端部には、全体として上下に開口した角筒形状の光通信用挿通部２３が設けられている。カバー３がボディ２に取り付けられた状態では、ハウジング１の内外を連通させる光通信用挿通穴１０が光通信用挿通部２３の内側に形成されるのであり、この光通信用挿通穴１０を通じてプラグＬＰや第２の光ファイバケーブルＦＣ２はハウジング１内に導入される。
【００３９】
ボディ２がレセプタクル５を保持する構造について具体的に説明する。ボディ２の前面の左下端部には、それぞれ左右方向からレセプタクル５を挟持する２組の保持片２１，２２が上下に並べて前方へ突設されている。各保持片２１，２２はそれぞれ左右方向に扁平であって前端部を後端部に対して左右に変位させるように弾性変形可能となっている。さらに、各保持片２１，２２の前端部にはそれぞれ係止爪２１ａ，２２ａが左右方向の内向きに突設されている。保持片２１，２２間にレセプタクル５を保持させる際には、レセプタクル５を保持させる一方の組の保持片２１，２２の前端部間の距離を大きくするように該一方の組の各保持片２１，２２を弾性変形させつつプラグ挿入口５０を下向きとする所定の姿勢でレセプタクル５を保持片２１，２２間に導入してレセプタクル５の後面をボディ２の前面に当接させてから、各保持片２１，２２をそれぞれ弾性復帰させる。すると、該一方の組の保持片２１，２２が左右方向からレセプタクル５を弾性的に挟持することでボディ２に対するレセプタクル５の左右方向の移動が禁止されるとともに、各係止爪２１ａ，２２ａがそれぞれレセプタクル５の前面を係止することによりボディ２の前方へのレセプタクル５の脱落が阻止される。ボディ２に対するレセプタクル５の上下方向の移動は、レセプタクル５を挟む保持片２１，２２がレセプタクル５の左右の側面の凹凸に対して上下方向から当接することによって禁止される。逆に、レセプタクル５を取り外す際には、レセプタクル５を挟む１組の保持片２１，２２を前端部間の距離を大きくするようにそれぞれ弾性変形させて各係止爪２１ａ，２２ａの係止を解除させれば、レセプタクル５をボディ２の前方へ取り外すことができる。
【００４０】
また、本実施形態においては、上下２組のいずれの保持片２１，２２を用いるかを選択することにより、レセプタクル５の取付位置を上下２箇所から選択可能となっている。
【００４１】
図１（ａ）及び図４に示すように下側の組の保持片（以下、「第１の保持片」と呼ぶ。）２１を用いた場合には、レセプタクル５は図２や図３に示すように光通信用挿通穴１０を通じてプラグ挿入口５０（シャッター５０ａ）をハウジング１の下方へ露出させる形で保持される。この場合、ボディ２をカバー３から取り外すことなくレセプタクル５に対するプラグＬＰの挿抜を容易に行うことができる。
【００４２】
基本的には、レセプタクル５は上記のように第１の保持片２１に保持させることが望ましいが、そうするとレセプタクル５に挿入接続されたプラグＬＰはハウジング１の下方に突出することになるから、ハウジング１の下方にはプラグＬＰを配置可能なスペースを確保する必要がある。そこで、ハウジング１の下方にプラグＬＰを配置可能なスペースを確保できない場合には、図１（ｂ）に示すように上側の保持片（以下、「第２の保持片」と呼ぶ。）２２にレセプタクル５を保持させる。すると、レセプタクル５だけでなくレセプタクル５に挿入接続されたプラグＬＰもハウジング１内に収納されるから、ハウジング１の下方にはプラグＬＰを配置可能なスペースを確保する必要がなくなる。従って、例えば棚のすぐ上側にハウジング１を取り付けることが可能となるといったように、取付面に対するハウジング１の取付位置の自由度が向上し、すなわち施工が容易となる（言い換えると、施工性が向上する）。
【００４３】
ところで、交流電源とコンセント６とを接続する電源ケーブルと、レセプタクル５に接続される第１の光ファイバケーブルＦＣ１と、接続ユニット４の電話線用端子台４０ｄに接続される各電話ケーブルと、それぞれ接続ユニット４の本体部４０ａの下面に露出したモジュラジャック４１の１個ずつに接続される各ＬＡＮケーブルとは、それぞれ、取付面に設けられた引き出し穴（図示せず）から引き出されるものであり、ハウジング１は前方から見て上記の引き出し穴を覆う形で取付面に対して固定される。そして、ボディ２において、前方から見て接続ユニット４の電話線用端子台４０ｄの左側には、第１の光ファイバケーブルＦＣ１と上記の各電話ケーブルとがそれぞれ挿通される第１のケーブル挿通穴２４ａが前後に貫設されている。さらに、ボディ２において、前方から見て接続ユニット４の電話線用端子台４０ｄの右側には、上記の各ＬＡＮケーブルがそれぞれ挿通される第２のケーブル挿通穴２４ｂが前後に貫設されている。つまり、電話線用端子台４０ｄ内において電話接続器を構成する各電話線接続端子は、それぞれ、前方から見て第１のケーブル挿通穴２４ａと第２ケーブル挿通穴２３ｂとを仕切る位置に固定されている。本実施形態では上記のように第１の光ファイバケーブルＦＣ１及び各電話ケーブルがそれぞれ挿通される第１のケーブル挿通穴２４ａと、各ＬＡＮケーブルがそれぞれ挿通される第２のケーブル挿通穴２４ｂとが分けられていることで、１個のケーブル挿通穴に第１の光ファイバケーブルＦＣ１と各電話ケーブルと各ＬＡＮケーブルとがそれぞれ挿通される場合に比べ、配線が整理されることにより配線作業がより容易となる。
【００４４】
また、ボディ２の前面の左上端部には、円筒形状の余長引掛筒２５が前方へ突設されている。すなわち、第１のケーブル挿通穴２４ａを通じてボディ２の前側へ導入された第１の光ファイバケーブルＦＣ１を、余長引掛筒２５の上側に通したり、余長引掛筒２５に適宜回数巻回したりすることで、第１の光ファイバケーブルＦＣ１の余長処理ができる。さらに、それぞれ第１の光ファイバケーブルＦＣ１をガイドする複数個の光ファイバケーブルガイド凸部２６ａ〜２６ｄが、ボディ２からそれぞれ前方へ突設されている。ここで、第１の保持片２１にレセプタクル５を保持させた場合には、図７に示すようにレセプタクル５の上端部とボディ２の前面との間に隙間が空くのであり、第１の光ファイバケーブルＦＣ１を第１のケーブル挿通穴２４ａから余長引掛筒２５に導く際には上記の隙間に第１の光ファイバケーブルＦＣ１を通すことができる。従って、第１の光ファイバケーブルＦＣ１をボディ２の前面とレセプタクル５との間に通すことができない場合に比べ、第１の光ファイバケーブルＦＣ１の配置の自由度が向上して配線作業が容易となっている。
【００４５】
カバー３は、例えば合成樹脂からなり、全体として、前方から見た輪郭がボディ２の輪郭に略一致し後面が開口した直方体形状である。カバー３をボディ２に着脱自在に結合させる手段としては、例えば凹凸係合のような周知技術を用いることができる。カバー３の前面には、コンセント６の前端部が挿通され各栓刃挿入口６１ａ〜６１ｃをそれぞれ前方へ露出させる長方形状のコンセント穴３０ａと、接続ユニット４の本体部４０ａの前面を露出させる長方形状の接続穴３０ｂとが左右に並べて設けられており、コンセント６に対する電源プラグの挿抜や、ＬＡＮプラグ挿入穴４２ａに対するモジュラプラグの挿抜や、各電話プラグ挿入穴４５ａ，４５ｂに対するモジュラプラグの挿抜は、ボディ２にカバー３を取り付けたままの状態でも行うことができる。さらに、カバー３の右上端部には、電源スイッチ４４を露出させる操作穴３０ｃが設けられており、ボディ２にカバー３を取り付けたままの状態でも、電源スイッチ４４の操作によるスイッチングハブ回路の電源のオンオフ切換が可能となっている。
【００４６】
なお、図８及び図９に示すように、電話線用端子台４０ｄ内の各電話線接続端子や電話プラグ挿入穴４５ａ，４５ｂ内の各電話用モジュラジャックとは別途の電話システムＴＳが構成される第２電話接続部４０ｅを、接続ユニット４に追加してもよい。詳しく説明すると、第２電話接続部４０ｅには、電話線用端子台４０ｄと同様に、電話線挿入口４６が複数組設けられるとともに、それぞれ１個ずつの電話線挿入口４６から挿入された電話線に接続される複数個の電話線接続端子（図示せず）が収納及び保持されている。さらに、第２電話接続部４０ｅには、本体部４０ａとは別途に、電話用モジュラジャック４８と切換スイッチ４７とが保持されている。第２電話接続部４０ｅに保持された上記の電話用モジュラジャック４８と各電話線接続端子とのうち、１個は加入者線接続端子ＣＴとされ、他の２個はＬＩＮＥ系統ＬＬとして対応する導電部同士を互いに電気的に接続され、残りはＴＥＬ系統ＴＬとして対応する導電部同士を電気的に接続されている。第２電話接続部４０ｅに保持された切換スイッチ４７は、加えられた操作に応じて、上記の加入者線接続端子ＣＴを、上記のＬＩＮＥ系統ＬＬと上記のＴＥＬ系統ＴＬとの一方に択一的に接続する。すなわち、図８及び図９の例は、それぞれ図６のように構成されて互いに独立した２系統の電話システムＴＳを有する。図８及び図９のような配線装置は、例えば２世帯住宅で電話回線が２回線使用される場合に用いられる。
【符号の説明】
【００４７】
１  ハウジング
２  ボディ
３  カバー
５  レセプタクル
１０  光通信用挿通穴
２１  第１の保持片（請求項における第１の保持部）
２１  第２の保持片（請求項における第２の保持部）
４０ｄ  電話線用端子台（請求項における電話接続器）
４１  モジュラジャック（請求項におけるＬＡＮ接続器）
５０  プラグ挿入口
ＬＰ  プラグ
【図１】
2010169763.tif 000003
【図２】
2010169763.tif 000004
【図３】
2010169763.tif 000005
【図４】
2010169763.tif 000006
【図５】
2010169763.tif 000007
【図６】
2010169763.tif 000008
【図７】
2010169763.tif 000009
【図８】
2010169763.tif 000010
【図９】
2010169763.tif 000011